(57)【要約】      （修正有）【課題】それぞれ負荷を備えた二つの回路を段階的にＯＮ／ＯＦＦ操作することを可能にし、かつ、取付スペースの制約に対応したスイッチ操作子を提供する。【解決手段】第１回路をＯＮ／ＯＦＦする第１操作子半体１０と、第２回路をＯＮ／ＯＦＦする第２操作子半体２０とで構成され、第１操作子半体は、第２操作子半体とは関わりなく第１回路をＯＦＦからＯＮにすることが許容されると共に、第１回路をＯＮからＯＦＦへの切換え操作時に第２操作子半体の凹部２０１ａと係止可能な突出部１０１ａを備えている。【選択図】図１
0003213513.tif 000002
【実用新案登録請求の範囲】
【請求項１】
それぞれに負荷を有する第１回路と第２回路の二つの回路に対して設けられ、単一のハウジングに上部を露出させて収納されたスイッチ操作子において、
第１回路をＯＮ／ＯＦＦする第１操作子半体と、第２回路をＯＮ／ＯＦＦする第２操作子半体とで構成され、前記第１操作子半体は、前記第２操作子半体とは関わりなく第１回路をＯＦＦからＯＮにすることが許容されると共に、第１回路をＯＮからＯＦＦへの切換え操作時に前記第２操作子半体と係止可能な突出部を備えていることを特徴とするスイッチ操作子。
【請求項２】
前記第１半体操作子及び前記第２操作子半体は、それぞれ、ＯＮ方向に面した第１面とＯＦＦ方向に面した第２面とを有し、前記第１操作子半体に設けた前記突出部は、前記第２操作子半体の第１面の表面と係止するように、前記第１操作子半体の第１面側に形成されている請求項１に記載のスイッチ操作子。
【考案の詳細な説明】
【技術分野】
【０００１】
本考案は、ヒーター、照明器具などをオン／オフするスイッチの操作子に関する。
【背景技術】
【０００２】
従来より、いわゆる２極単投スイッチは、比較的幅寸法が小さいロッカー形式又はレバ−形式の単一の操作子を有し、二つの回路のそれぞれに設けられた負荷、例えば、照明、スピーカー等の負荷を同時にＯＮ／ＯＦＦするために使用されている。しかし、従来の２極単投スイッチは、二つの回路の一方のみをＯＮ／ＯＦＦできるようにしたいとの要望には対応できない。このため、こうした需要に対しては、結局、二つの回路のそれぞれに独立したスイッチを設けることになる。
【０００３】
また、従来の２極単投スイッチは、負荷の大きさを調整するには適していない。このような需要に対しては、これまでロータリースイッチが使用されてきた。
【０００４】
近年、電気製品、電気設備は総じて小型化が進み、本体装置が小さくなるのに伴い、本体装置の各種機能を操作するスイッチの取付スペースも制約を受け、スイッチ装置の小型化が従来にも増して要求されている。斯かる状況において、前述のように、二つの回路のそれぞれに独立したスイッチを設けることや、単一のスイッチであっても比較的大きな取付スペースを必要とするロータリースイッチの使用には問題があった。
【考案の開示】
【考案が解決しようとする課題】
【０００５】
本考案は、このような事情を考慮してなされたものであり、単一の２極単投スイッチの操作子の形態を有しつつ、それぞれ負荷を備えた二つの回路を段階的にＯＮ／ＯＦＦ操作することを可能にし、かつ、ロータリースイッチと比較して取付スペースの制約に対応したスイッチ操作子を提供することを目的とする。
【課題を解決するための手段】
【０００６】
上述した課題を解決するために、本考案に係るスイッチ操作子は、それぞれに負荷を有する第１回路と第２回路の二つの回路に対して設けられ、単一のハウジングに上部を露出させて収納されたスイッチ操作子において、第１回路をＯＮ／ＯＦＦする第１操作子半体と、第２回路をＯＮ／ＯＦＦする第２操作子半体とで構成され、前記第１操作子半体は、前記第２操作子半体とは関わりなく第１回路をＯＦＦからＯＮへ切換操作することが許容されると共に、第１回路をＯＮからＯＦＦへの切換え操作時に前記第２操作子半体と係止可能な突出部を備えていることを特徴とする。
【０００７】
前記第１半体操作子及び前記第２操作子半体は、それぞれ、ＯＮ方向に面した第１面とＯＦＦ方向に面した第２面とを有し、前記第１操作子半体に設けた前記突出部は、前記第２操作子半体の第１面の表面と係止可能に前記第１操作子半体の第１面側に形成されている。
【考案の効果】
【０００８】
この考案によれば、単一の２極単投スイッチの形態を有することにより、スイッチの取付けスペースの縮小を図りつつ、従来と同様に二つの回路を同時にＯＦＦにすることができるだけでなく、従来の２極単投スイッチでは不可能な、二つの回路の個別のＯＮ／ＯＦＦ操作を可能にすることにより、二つの回路を順にＯＮ又はＯＦＦにして、例えば、照明の光量、送風量の大小、気体や液体の温度等を段階的に大きく又は小さくすることが可能になる。二つの回路の負荷の大きさを異なるものにすれば、各段階間の負荷の大きさの差の大小を調整することができる。従って、単一スイッチの形態をとりつつ、従来では不可能な負荷量の調整を行うことができる２極単投スイッチを、幅寸法が比較的に大きなロータリースイッチの形態をとることなく、幅寸法が比較的に狭小なレバー形式やロッカー形式の形態のままで実現することができ、スイッチの取付けスペースの制約に対応したスイッチを提供することが可能である。
【図面の簡単な説明】
【０００９】
【図１】本考案に係るスイッチ操作子を有するスイッチの全体斜視図である。
【図２】本考案に係るスイッチ操作子を構成する２つの半体を分離して示す斜視図である。
【図３】２つの半体の一方（第１操作子半体）のみをＯＮ操作した状態を示す図１のスイッチの側面図である。
【考案を実施するための最良の形態】
【００１０】
以下、本考案の一実施形態に係るスイッチ操作子を、図面を参照して説明する。
図１は、２極単投スイッチ１００の全体図を示しており、このスイッチ１００は、図示されていないそれぞれに負荷を有する第１回路と第２回路の二つの回路に対して設けられ、単一のハウジング５０に上部を露出させて収納された操作子３０を有する。
【００１１】
図２に明瞭に示されるように、この操作子３０は、不図示の第１回路をＯＮ／ＯＦＦする第１操作子半体１０と、不図示の第２回路をＯＮ／ＯＦＦする第２操作子半体２０とで構成される。第１操作子半体１０と前記第２操作子半体２０は、それぞれ、図中左側のＯＮ方向に面した第１面と、図中右側のＯＦＦ方向に面した第２面とを有する。第１操作子半体１０は、第１面側において、胴部１０１の表面部側面から突出し、第２操作子半体２０の第１面の表面を覆うように形成された突出部１０１ａを備えている。これに対応させて、第２操作子半体２０の第１面側には、その胴部２０１の表面に、第１操作子半体１０の突出部１０１ａを収容できる凹部２０１ａが形成されている。
【００１２】
第１操作子半体１０の突出部１０１ａは、図示例では、第１操作子半体１０の第１面側の胴部１０１の表面部側面から突出し、第２操作子半体２０の第１面側の胴部２０１表面を全面的に覆うように形成されているが、第２操作子半体２０の第１面側の胴部２０１表面の一部のみを覆うように形成された突起でもよい。
【００１３】
また、図示例では、突出部１０１ａを第１操作子半体１０の胴部１０１に設けているが、
レバー部１０２に設けてもよい。要するに、一方の操作子半体、図示例では第１操作子半体１０、を単独でＯＮ方向に操作することを許容すると共に、ＯＦＦ方向に操作したときに、他方の操作子半体、即ち第２操作子半体２０を共にＯＦＦ操作できるような突出部であればよい。
【００１４】
第１操作子半体１０と第２操作子半体２０はハウジング５０に支持された共通軸を中心としてＯＮ又はＯＦＦ方向に傾動自在に構成されており、それぞれ、下方に延出した可動片駆動部１０３、２０３を備える。これら可動片駆動部１０３、２０３は、それぞれの下端において、ハウジング５０内部に設けられた図示されていないスイッチ切替え機構の可動片を駆動する。不図示のスイッチ切替え機構は特に限定されず、公知の切替え機構を使用することができる。図示された可動片駆動部１０３、２０３は、簡略的に示されており、スイッチ切替え機構の具体的な構造に応じて可動片駆動部１０３、２０３の具体的な形状及び構成も変わることになる。
【００１５】
スイッチ切替え機構の公知の一例を挙げると、ハウジング５０内の底面上の支持部材を支点として揺動可能なＣ形バネ可動片を有する。このＣ形バネ可動片は、下端部に可動接点を備え、上端部に可動片駆動部１０３又は２０３の下端を係止させておく。第１操作子半体１０や第２操作子半体２０が操作されて可動片駆動部１０３、２０３が傾動すると、それに伴いＣ形バネ可動片が揺動し、Ｃ形バネ可動片の下端部に設けられた可動接点がハウジング５０の底面上に設けられた固定接点と接触又は離間して回路のＯＮ／ＯＦＦ切替えが行われる。
【００１６】
また、他のスイッチＦ切替機構の公知例を挙げると、ハウジング５０内の底面上の支持部材を支点としてシーソー運動可能な細長い可動片を有する。この細長の可動片は一端部に可動接点を備えている。第１操作子半体１０又は第２操作子半体２０の操作されて、可動片駆動部１０３、２０３の下端が可動片の上面を長手方向に沿って滑動すると、可動片がシーソー運動し、可動片の一端部に設けられた可動接点がハウジング５０内の底面上に設けられた固定接点と接触又は離間して回路のＯＮ／ＯＦＦを切替える。
【００１７】
次に、本考案に係るスイッチ操作子の操作方法について以下に説明する。
まず、第１操作子半体１０と第２操作子半体２０が図１に示されるＯＦＦ位置にあるとき、第１操作子半体１０をＯＮ位置に移動させるように操作すると、図３に示されるように、第１操作子半体１０の突出部１０１ａは、第２操作子半体２０の第１面の凹部２０１ａから離れ、第１操作子半体１０は単独でＯＮ位置に移動する。第２操作子半体２０は、その後、第１操作子半体１０とは別に単独でＯＮ位置に移動するように操作することができる。
【００１８】
このような操作により、何らかの負荷、例えば、発熱体、を備えた第１回路を第１操作子半体１０の操作によりＯＮした後、同様に発熱体を備えた第２回路を第２操作子半体２０を操作してＯＮすることにより、ヒーターの発熱量を例えば倍にするなどの温度調整を図ることができる。なお、二つの回路のそれぞれの負荷の大きさを変えれば、第１操作子半体１０を単独でＯＮ位置に移動させたときと、第２操作子半体２０を追加的にＯＮ位置に移動させたときの、例えば温度の調節幅を自由に変えることができる。
【００１９】
また、第１操作子半体１０と第２操作子半体２０が図１に示されるＯＦＦ位置にあるときに、第２操作子半体２０をＯＮ位置に移動させるように操作すると、第２操作子半体２０のＯＮ側に面した第１面は第１操作子半体１０の突出部１０１ａと係止しているため、第２操作子半体２０と第１操作子半体１０との両方を同時にＯＮ位置に移動させるように操作することができる。この操作により、第１回路と第２回路の二つの負荷、例えば、発熱体を同時にＯＮ操作することになるので、ヒーターの発熱量を一回の操作で最大にすることができる。
【００２０】
上記とは逆に、第１操作子半体１０と第２操作子半体２０が共にＯＮ位置にあるとき、第１操作子半体１０をＯＦＦ位置へ移動するように操作すると、第１操作子半体１０の突出部１０１ａは、第２操作子半体２０の第１面と係止して第２操作子半体２０を第１操作子半体１０と共にＯＮ位置からＯＦＦ位置へ移動させるように作用する。従って、二つの回路を共にＯＦＦにするときは、第１操作子半体１０だけをＯＦＦ方向に操作すれば、同時に第２操作子半体２０もＯＦＦ方向に操作することになるので、例えばヒーターを一回の操作で消すことができる。
【００２１】
また、第１操作子半体１０と第２操作子半体２０が共にＯＮ位置にあるときに、第２操作子半体２０をＯＮ位置からＯＦＦ位置に移動するように操作すると、第２操作子半体２０の移動に干渉するものは何も存在しないため、第２操作子半体２０は単独でＯＦＦ位置に移動することができ、ＯＮ状態にある負荷の量、例えば発熱量を、例えば半分に減量調節することができる。なお、二つの回路のそれぞれの負荷の大きさを変えれば、第２操作子半体２０を単独でＯＦＦ位置に移動することによる、減量調節幅は自由に変えることができる。
【産業上の利用可能性】
【００２２】
以上、負荷を発熱体をした場合を例にして操作方法を説明したが、このスイッチ操作子は、２極単投スイッチの操作子でありながら、例えば、照明装置の光量調節、送風装置の風量調節、給水装置の水温調節など、様々な装置の単なるＯＮ／ＯＦＦスイッチとしてだけではなく、負荷量の調節スイッチの操作子として使用することができる。
【符号の説明】
【００２３】
１０      第１操作子半体
２０      第２操作子半体
３０      操作子(全体)
５０      ハウジング
１００    スイッチ(全体)
１０１    第１操作子半体の胴部
１０１ａ  第１操作子半体の突出部
１０２    第１操作子半体のレバー部
１０３    第１操作子半体の可動片駆動部
２０１    第２操作子半体の胴部
２０１ａ  第２操作子半体の凹部
２０２    第２操作子半体のレバー部
２０３    第２操作子半体の可動片駆動部
【図１】
0003213513.tif 000003
【図２】
0003213513.tif 000004
【図３】
0003213513.tif 000005
【手続補正書】
【提出日】平成29年9月13日(2017.9.13)
【手続補正１】
【補正対象書類名】実用新案登録請求の範囲
【補正対象項目名】請求項２
【補正方法】変更
【補正の内容】
【請求項２】
前記第１操作子半体及び前記第２操作子半体は、それぞれ、ＯＮ方向に面した第１面とＯＦＦ方向に面した第２面とを有し、前記第１操作子半体に設けた前記突出部は、前記第２操作子半体の第１面の表面と係止するように、前記第１操作子半体の第１面側に形成されている請求項１に記載のスイッチ操作子。